(57)【要約】【課題】携帯機器の使用を中断することなく、電池の状態を正しく検出するようにした電池チェック装置を提供する。【解決手段】内部抵抗Ｒｉｎおよび内部抵抗判定閾値ｒについてｒ≧Ｒｉｎが成立するとき、電池の電圧の変化に応じて表示に用いるセグメント４ａ、４ｂならびに４ｃを変更し、▲１▼Ｖ１＞ｅ１が成立する場合に表示４１、▲２▼ｅ１≧Ｖ１＞ｅ２が成立する場合に表示４２、▲３▼ｅ２≧Ｖ１が成立する場合に表示４３、の態様でそれぞれ点灯表示する（ｅ１、ｅ２は電圧判定閾値であり、満充電時の電圧をｅ０とするとｅ０＞ｅ１＞ｅ２の関係を有する）。Ｒｉｎ＞ｒが成立するとき、電池の電圧の変化に応じて表示に用いるセグメント４ａ、４ｂならびに４ｃを変更し、▲４▼Ｖ１＞ｅ２が成立する場合に表示４４、▲５▼ｅ２≧Ｖ１が成立する場合に表示４５、の態様でそれぞれ点滅表示する。【選択図】図４
2004125658.tif 000002
【特許請求の範囲】
【請求項１】
電池の電圧を検出する電圧検出手段と、
前記電池の内部抵抗を検出する内部抵抗検出手段と、
前記電圧検出手段で検出した電圧に応じた表示を行う第１の表示手段と、
前記内部抵抗検出手段で検出した内部抵抗に応じた表示を行う第２の表示手段と、
前記内部抵抗検出手段で検出した内部抵抗が所定値より大きいとき、前記第１の表示手段による表示態様を変える表示制御手段とを備えることを特徴とする携帯機器の電池チェック装置。
【請求項２】
電池の電圧を検出する電圧検出手段と、
前記電池の内部抵抗を検出する内部抵抗検出手段と、
前記電圧検出手段で検出した電圧に応じた表示を行う第１の表示手段と、
前記内部抵抗検出手段で検出した内部抵抗に応じた表示を行う第２の表示手段と、
前記内部抵抗検出手段で検出した内部抵抗が所定値以下のとき、前記電圧検出手段に対して前記電圧検出、および前記第１の表示手段に対して前記表示をそれぞれ指示し、前記内部抵抗検出手段で検出した内部抵抗が所定値より大きいとき、前記電圧検出手段に対する前記電圧検出、および前記第１の表示手段に対する前記表示の指示をそれぞれ省略する制御手段とを備えることを特徴とする携帯機器の電池チェック装置。
【請求項３】
請求項１または２に記載の携帯機器の電池チェック装置において、
前記内部抵抗検出手段は、前記電池に所定電流の負荷を与えた状態の前記電池電圧、および前記負荷を与えない状態の前記電池電圧の差を用いて内部抵抗を算出することを特徴とする携帯機器の電池チェック装置。
【請求項４】
請求項１〜３のいずれかに記載の携帯機器の電池チェック装置において、
前記内部抵抗検出手段で検出した内部抵抗が所定値より大きいとき、所定の操作信号に応じた動作を禁止する禁止手段をさらに備えることを特徴とする携帯機器の電池チェック装置。
【請求項５】
電池の電圧を検出する処理と、
前記電池の内部抵抗を検出する処理と、
前記検出した電圧に応じた表示を行う第１の表示処理と、
前記検出した内部抵抗に応じた表示を行う第２の表示処理と、
前記検出した内部抵抗が所定値より大きいとき、前記第１の表示処理による表示態様を変える処理とをコンピュータ上で実行することを特徴とする携帯機器の電池チェック用プログラム。
【請求項６】
電池の電圧を検出する処理と、
前記電池の内部抵抗を検出する処理と、
前記検出した電圧に応じた表示を行う第１の表示処理と、
前記検出した内部抵抗に応じた表示を行う第２の表示処理と、
前記検出した内部抵抗が所定値以下のとき、前記電圧検出処理および前記第１の表示処理をそれぞれ行い、前記検出した内部抵抗が所定値より大きいとき、前記電圧検出処理および前記第１の表示処理をそれぞれ省略する処理とをコンピュータ上で実行することを特徴とする携帯機器の電池チェック用プログラム。
【発明の詳細な説明】
【０００１】
【発明の属する技術分野】
本発明は、携帯機器の電池チェック装置および電池チェック用プログラムに関する。
【０００２】
【従来の技術】
電池電圧をチェックすることによって電池の残量を検出する携帯機器が知られている。このような機器では、電池の電圧を検出し、検出電圧が所定値を下回ると電池の消耗状態が判定される。一般に、放電中の電池電圧は当該電池の内部抵抗に起因して放電電流の変化とともに異なる値をとる。また、電池の内部抵抗は電池の劣化とともに増加するので、携帯機器を使用中（すなわち、電池放電中）に電池電圧を検出するだけでは、電池の充電および交換の必要性など、電池の状態を正しく判定することが困難である。
【０００３】
一方、充電可能な電池について、内部抵抗に応じて試験方法を変更することにより、当該電池のＳＯＣ（充電状態）を判定する技術が知られている（たとえば、特許文献１参照）。特許文献１によれば、銀−亜鉛電池の開放電圧および内部抵抗値が測定され、測定値に応じた異なる条件で電池が試験される。
【０００４】
【特許文献１】
米国特許第６２１５３１２号明細書
【０００５】
【発明が解決しようとする課題】
特許文献１に記載の装置では、電池の内部抵抗に応じて電池に対する複数の試験方法を使い分ける必要がある。このため、試験装置が複雑になる上に、試験時の電池電流を所定の値に制限するので携帯機器を使用中に電池を試験することが困難である。
【０００６】
本発明の目的は、簡単な構成で携帯機器の使用を中断することなく、電池の状態を正しく検出するようにした携帯機器の電池チェック装置、および電池チェック用プログラムを提供することにある。
【０００７】
【課題を解決するための手段】
本発明による携帯機器の電池チェック装置は、電池の電圧を検出する電圧検出手段と、電池の内部抵抗を検出する内部抵抗検出手段と、電圧検出手段で検出した電圧に応じた表示を行う第１の表示手段と、内部抵抗検出手段で検出した内部抵抗に応じた表示を行う第２の表示手段と、内部抵抗検出手段で検出した内部抵抗が所定値より大きいとき、第１の表示手段による表示態様を変える表示制御手段とを備えることにより、上述した目的を達成する。
本発明による携帯機器の電池チェック装置は、電池の電圧を検出する電圧検出手段と、電池の内部抵抗を検出する内部抵抗検出手段と、電圧検出手段で検出した電圧に応じた表示を行う第１の表示手段と、内部抵抗検出手段で検出した内部抵抗に応じた表示を行う第２の表示手段と、内部抵抗検出手段で検出した内部抵抗が所定値以下のとき、電圧検出手段に対して電圧検出、および第１の表示手段に対して表示をそれぞれ指示し、内部抵抗検出手段で検出した内部抵抗が所定値より大きいとき、電圧検出手段に対する電圧検出、および第１の表示手段に対する表示の指示をそれぞれ省略する制御手段とを備えることにより、上述した目的を達成する。
内部抵抗検出手段は、電池に所定電流の負荷を与えた状態の電池電圧、および負荷を与えない状態の電池電圧の差を用いて内部抵抗を算出することもできる。
上記電池チェック装置はさらに、内部抵抗検出手段で検出した内部抵抗が所定値より大きいとき、所定の操作信号に応じた動作を禁止する禁止手段を備えてもよい。
本発明による携帯機器の電池チェック用プログラムは、電池の電圧を検出する処理と、電池の内部抵抗を検出する処理と、検出した電圧に応じた表示を行う第１の表示処理と、検出した内部抵抗に応じた表示を行う第２の表示処理と、検出した内部抵抗が所定値より大きいとき、第１の表示処理による表示態様を変える処理とをコンピュータ上で実行することにより、上述した目的を達成する。
本発明による携帯機器の電池チェック用プログラムは、電池の電圧を検出する処理と、電池の内部抵抗を検出する処理と、検出した電圧に応じた表示を行う第１の表示処理と、検出した内部抵抗に応じた表示を行う第２の表示処理と、検出した内部抵抗が所定値以下のとき、電圧検出処理および第１の表示処理をそれぞれ行い、検出した内部抵抗が所定値より大きいとき、電圧検出処理および第１の表示処理をそれぞれ省略する処理とをコンピュータ上で実行することにより、上述した目的を達成する。
【０００８】
【発明の実施の形態】
以下、図面を参照して本発明の実施の形態を説明する。
（第一の実施の形態）
図１は、本発明の第一の実施の形態による携帯機器の電池チェック装置の構成を説明するブロック図である。携帯機器は、たとえば、カメラ、電話機（通信機）、携帯型情報端末（ＰＤＡ）、パソコン、録音／再生機などである。図１において電池チェック装置は、電圧測定回路１と、スイッチ２と、定電流回路３と、マイクロコンピュータ（以下、マイコンと呼ぶ）４とを有する。電池チェック装置は電池６の電圧および内部抵抗をチェックし、チェックの結果を表示装置５に表示する。表示装置５は、たとえば、セグメントごとに表示制御可能なＬＣＤ表示器などで構成する。
【０００９】
電池６は、たとえば、充電可能な二次電池によって構成する。電池６は、携帯機器の不図示の各回路、表示装置５およびマイコン４に対して電力を供給する。マイコン４は、携帯機器の動作ならびに電池チェック装置を制御する。マイコン４はその内部に、入力ポートＰＩと、出力ポートＰＯと、メモリ（不図示）とを含む。
【００１０】
電圧測定回路１は、マイコン４の指示により電池６の端子電圧を検出し、検出電圧を示すデータをマイコン４へ送出する。マイコン４は、電圧測定回路１から入力ポートＰＩに入力されるデータより、電池６の電圧を検出する。マイコン４は、出力ポートＰＯにＨレベルもしくはＬレベルの信号を出力する。マイコン４が出力ポートＰＯにＨレベルの信号を出力するとスイッチ２がオンされる。マイコン４が出力ポートＰＯにＬレベルの信号を出力するとスイッチ２がオフされる。スイッチ２がオンすると、電池６が電力を供給する各回路と並列に、定電流回路３が接続されるように構成されている。
【００１１】
定電流回路３は、電池６から供給される電流のうち所定の電流値、たとえば、１Ａを消費するように構成されている。つまり、スイッチ２がオンされると、スイッチ２がオフの場合に比べて電池６の消費電流が１Ａ増加する。
【００１２】
本発明は、上記携帯機器における電池６のチェックに関し、電池電圧および電池６の内部抵抗に応じて電池の状態を検出するようにしたものである。
【００１３】
図２は、マイコン４で行われる電池チェック処理の流れを示すフローチャートである。図２による処理は、携帯機器の電源スイッチがオンされ、携帯機器が使用されている（待機状態を含む）ときに携帯機器の消費電力がほぼ一定の状態で行われる。消費電力がほぼ一定の状態とは、たとえば、携帯機器がカメラの場合は撮影動作を行っていない状態、携帯機器が電話機の場合は送信動作を行っていない状態である。
【００１４】
図２のステップＳ１１において、マイコン４は、電池６の内部抵抗Ｒｉｎを測定してステップＳ１２へ進む。内部抵抗Ｒｉｎの測定は以下のように行う。マイコン４は、スイッチ２がオフの状態（通常はオフである）ならびにスイッチ２がオンの状態のそれぞれにおいて、電圧測定回路１から入力ポートＰＩに入力されるデータより電池６の電圧を検出する。
【００１５】
スイッチ２がオンの状態では、上述した定電流回路３の働きにより電池６の負荷電流がスイッチ２がオフの状態に比べて１Ａ増加する。たとえば、スイッチ２がオンされる前に電池６に流れる電流が０．５Ａであった場合、スイッチ２のオン後に電池６に流れる電流は１．５Ａになる。したがって、マイコン４は電池６の内部抵抗Ｒｉｎを次式（１）で算出する。
【数１】
Ｒｉｎ＝（Ｖ１−Ｖ２）／１　　　　　　　　（１）
ただし、Ｖ１はスイッチ２がオフ時の電池６の検出電圧、Ｖ２はスイッチ２がオン時の電池６の検出電圧である。
【００１６】
マイコン４は、スイッチ２がオン状態の電圧Ｖ２を検出するとスイッチ２をオフさせる。ステップＳ１２において、マイコン４は、内部抵抗Ｒｉｎが所定値ｒより大きいか否かを判定する。判定に用いる閾値ｒは、あらかじめマイコン４内のメモリに記憶されている。マイコン４は、内部抵抗ＲｉｎについてＲｉｎ＞ｒが成立するとき、ステップＳ１２を肯定判定してステップＳ１４へ進み、Ｒｉｎ≦ｒのとき、ステップＳ１２を否定判定してステップＳ１３へ進む。
【００１７】
ステップＳ１４において、マイコン４は、電池状態フラグをセットしてステップＳ１３へ進む。電池状態フラグは、内部抵抗Ｒｉｎが内部抵抗判定閾値ｒより大、すなわち、電池６が劣化していることを示すフラグである。電池状態フラグは、図２による処理の開始時にリセットされている。ステップＳ１３において、マイコン４は、電圧測定回路１から入力ポートＰＩに入力されるデータより電池６の電圧Ｖ１を検出してステップＳ１５へ進む。
【００１８】
ステップＳ１５において、マイコン４は、電池状態フラグがセットされているか否かを判定する。マイコン４は、電池状態フラグがセットされている場合にステップＳ１５を肯定判定してステップＳ１７へ進み、電池状態フラグがセットされていない場合にステップＳ１５を否定判定してステップＳ１６へ進む。
【００１９】
ステップＳ１６において、マイコン４は、表示装置５に指令を出力し、電池電圧Ｖ１および内部抵抗Ｒｉｎに応じた点灯表示を行わせて図２による処理を終了する。表示装置５の表示は以下のように行う。図３は、携帯機器を使用した場合の電池６の電圧Ｖ１と使用時間との関係例を示す図である。図３において、横軸は使用時間（すなわち、電池６の放電時間）を表し、縦軸は電池６の電圧Ｖ１を表す。電池６の電圧は、使用時間の経過とともに低下する曲線３１で表される。マイコン４は、あらかじめ電池６の仕様に応じて２種類の電圧判定閾値ｅ１およびｅ２をマイコン４内のメモリに記憶している。電圧判定閾値ｅ１は、たとえば、電池６の放電率７０％に対応する電圧であり、電圧判定閾値ｅ２は、たとえば、電池６の放電率９０％に対応する電圧である。満充電時の電圧をｅ０とすると、ｅ０＞ｅ１＞ｅ２の関係を有する。
【００２０】
マイコン４は、ステップＳ１３で得た電池６の電圧Ｖ１についてＶ１＞ｅ１が成立するとき、電池容量が十分とみなして図４の表示４１に示す態様の点灯表示を表示装置５に行わせる。表示４１は、表示装置５の表示セグメント４ａ、４ｂならびに４ｃを全て点灯させるものである。また、マイコン４は、ｅ１≧Ｖ１＞ｅ２が成立するとき、電池容量が低下したとみなして図４の表示４２に示す態様の点灯表示を表示装置５に行わせる。表示４２は、セグメント４ｂならびに４ｃを点灯させるものである。マイコン４はさらに、ｅ２≧Ｖ１が成立するとき、電池６の充電が必要であるとみなして図４の表示４３に示す態様の点灯表示を表示装置５に行わせる。表示４３は、セグメント４ｃのみを点灯させるものである。
【００２１】
ステップＳ１７において、マイコン４は、表示装置５に指令を出力し、電池電圧Ｖ１および内部抵抗Ｒｉｎに応じた点滅表示を行わせて図２による処理を終了する。表示装置５の表示は以下のように行う。図５は、携帯機器を使用した場合の電池６の内部抵抗Ｒｉｎと使用時間との関係例を示す図である。図５において、横軸は使用時間（すなわち、電池６の放電時間）を表し、縦軸は電池６の内部抵抗Ｒｉｎを表す。電池６の内部抵抗は、使用時間の経過とともに上昇する曲線で表される。曲線５１は新しい電池６の特性例であり、曲線５２は劣化した電池６の特性例である。一般に、電池６は充放電サイクル数が増加すると内部抵抗Ｒｉｎが増加する。ステップＳ１７の時点では上述した電池状態フラグがセットされているので、内部抵抗Ｒｉｎは内部抵抗判定閾値ｒより大の状態にある。内部抵抗判定閾値ｒｂについては後述する。
【００２２】
マイコン４は、ステップＳ１３で得た電池６の電圧Ｖ１についてＶ１＞ｅ２が成立するとき、電池６は充電されているが内部抵抗Ｒｉｎが上昇しているとみなして図４の表示４４に示す態様の点滅表示を表示装置５に行わせる。表示４４は、セグメント４ｂならびに４ｃを点滅させるものである。また、マイコン４は、ｅ２≧Ｖ１が成立するとき、電池６が劣化したため交換が必要であるとみなして図４の表示４５に示す態様の点滅表示を表示装置５に行わせる。表示４５は、セグメント４ｃのみを点滅させるものである。
【００２３】
マイコン４は、表示４４および４５のいずれかの態様の点滅表示を行わせると、次の操作を受け付けないように不図示の操作キーをロックする（当該キーによる操作信号を無効にする）。これにより、携帯機器が操作信号に応じた新たな動作を行うことによって電池６の消費電流が増加し、電池６の電圧が低下してマイコン４、すなわち、携帯機器が動作不能になることが防止される。ロックする操作キーは、全操作キーについて行ってもよいし、電流消費が増加する所定の動作に対応するキーのみをロックしてもよい。
【００２４】
以上説明した第一の実施の形態による作用効果についてまとめる。
（１）スイッチ２のオンによって電池６の負荷電流を１Ａ増加させる定電流回路３を設けたので、スイッチ２のオフ状態およびオン状態それぞれの電池６の電圧Ｖ１およびＶ２を検出することにより、上式（１）から電池６の内部抵抗Ｒｉｎを簡単に求めることができる。
【００２５】
（２）内部抵抗Ｒｉｎおよび内部抵抗判定閾値ｒについてｒ≧Ｒｉｎが成立するとき（ステップＳ１５を否定判定）、電池６の電圧Ｖ１の変化に応じて表示に用いるセグメント４ａ、４ｂならびに４ｃを変更し、
▲１▼Ｖ１＞ｅ１が成立する場合に電池６の容量が十分とみなし、表示４１の態様で点灯表示し、
▲２▼ｅ１≧Ｖ１＞ｅ２が成立する場合に電池６の容量が低下したとみなし、表示４２の態様で点灯表示し、
▲３▼ｅ２≧Ｖ１が成立する場合に電池６の充電が必要とみなし、表示４３の態様で点灯表示する（ｅ１、ｅ２は電圧判定閾値であり、満充電時の電圧をｅ０とするとｅ０＞ｅ１＞ｅ２の関係を有する）。この結果、電池６の充電率（残存容量）をわかりやすく表示することができる。
【００２６】
（３）内部抵抗Ｒｉｎおよび内部抵抗判定閾値ｒについてＲｉｎ＞ｒが成立するとき（ステップＳ１５を肯定判定）、電池６の電圧Ｖ１の変化に応じて表示に用いるセグメント４ａ、４ｂならびに４ｃを変更し、
▲４▼Ｖ１＞ｅ２が成立する場合に電池６は充電されているが内部抵抗Ｒｉｎが上昇しているとみなし、表示４４の態様で点滅表示し、
▲５▼ｅ２≧Ｖ１が成立する場合に電池６の交換が必要であるとみなし、表示４５の態様で点滅表示する。この結果、電池６の充電率（残存容量）をわかりやすく表示するとともに、内部抵抗Ｒｉｎの増加を使用者に報知することができる。また、電池電圧が高い状態（Ｖ１＞ｅ１が成立する場合）でも内部抵抗が高い（Ｒｉｎ＞ｒが成立する）とセグメント４ａを使用しないようにしたので、携帯機器の消費電流が増加した際に電池電圧が低下するおそれがあることを考慮した電池６の状態表示を行うことができる。さらにまた、内部抵抗Ｒｉｎの増加をセグメント４ａ、４ｂならびに４ｃの表示態様（点灯および点滅）の切り替えによって表示したので、新たな表示セグメントを追加しないで内部抵抗Ｒｉｎの増加を報知できるから、表示装置５の大型化やコスト上昇を抑えることができる。
【００２７】
（４）内部抵抗Ｒｉｎを測定（ステップＳ１１）した後に電池６の電圧Ｖ１を測定する（ステップＳ１３）ので、最新の電圧情報を用いて電池６の残存容量を表示することができる。
【００２８】
（５）上記▲４▼および▲５▼の表示４４および４５の態様の点滅表示を行っているとき、次の操作を受け付けないように不図示の操作キーを無効にした（ロックする）。この結果、携帯機器が新たな動作を開始することが禁止されるので、携帯機器の消費電流が増加して電池６の電圧が各回路の動作に必要な電圧より低下することを防止できる。
【００２９】
以上説明した第一の実施の形態では、電池６の内部抵抗Ｒｉｎの測定（ステップＳ１１）後に、内部抵抗Ｒｉｎが判定閾値ｒより大きいか否かにかかわらず（電池状態フラグのセット／リセットにかかわらず）電池６の電圧Ｖ１の測定を行った（ステップＳ１３）。この代わりに、内部抵抗Ｒｉｎが判定閾値ｒ以下の場合にのみ電池６の電圧Ｖ１の測定を行ってもよい。この場合には、内部抵抗Ｒｉｎ＞ｒが成立する（図２のステップＳ１２を肯定判定）と、表示４５（図４）の態様の表示を行うだけで電圧Ｖ１の測定を省略し、図２による処理を終了する。一方、内部抵抗ｒ≧Ｒｉｎが成立する（図２のステップＳ１２を否定判定）と、ステップＳ１３へ進んで電圧Ｖ１の測定を行う。電池６の電圧Ｖ１に応じて表示セグメント４ａ、４ｂならびに４ｃを変更して表示４１〜４３（図４）のいずれかの態様で電池６の残存容量表示を行い（ステップＳ１６）、図２による処理を終了する。電池６の内部抵抗Ｒｉｎが上昇して携帯機器の使用に適さない状態では、無駄な電圧測定を省くことができる。
【００３０】
（第二の実施の形態）
内部抵抗Ｒｉｎの判定閾値を２つ設けるようにしてもよい。この場合のマイコン４は、あらかじめ電池６の仕様に応じて２種類の内部抵抗判定閾値ｒおよびｒｂをマイコン４内のメモリに記憶する。内部抵抗判定閾値ｒは第一の実施の形態で用いた判定閾値であり、内部抵抗判定閾値ｒｂはｒ＞ｒｂの関係を有する判定閾値である。
【００３１】
第二の実施の形態では、図２のステップＳ１６の代わりに図６のフローチャートで示す処理を行う。図６のステップＳ１６において、マイコン４は、内部抵抗Ｒｉｎについて、ｒ≧Ｒｉｎ＞ｒｂが成立するか否かを判定する。マイコン４は、ｒ≧Ｒｉｎ＞ｒｂが成立する場合にステップＳ１６Ａを肯定判定してステップＳ１６Ｂへ進み、ｒ≧Ｒｉｎ＞ｒｂが成立しない場合にステップＳ１６Ａを否定判定してステップＳ１６Ｃへ進む。ステップＳ１６Ｃへ進む場合は、ｒｂ≧Ｒｉｎが成立する（内部抵抗Ｒｉｎは十分小さい）ときである。
【００３２】
ステップＳ１６Ｂにおいて、マイコン４は、表示装置５に指令を出力し、電池電圧Ｖ１および内部抵抗Ｒｉｎに応じた図７の表示７１〜７３のいずれかの態様の表示を行わせて図６による処理を終了する。マイコン４は、ステップＳ１３で得た電池６の電圧Ｖ１についてＶ１＞ｅ１が成立するとき、電池６は充電されているが内部抵抗Ｒｉｎがやや上昇しているとみなして図７の表示７１に示す態様の点灯表示を表示装置５に行わせる。表示７１は、セグメント４ｂならびに４ｃを点灯させるものである。また、マイコン４は、ｅ１≧Ｖ１＞ｅ２が成立するとき、電池容量が低下し、内部抵抗Ｒｉｎがやや上昇しているとみなして図７の表示７２に示す態様の点滅表示を表示装置５に行わせる。表示７２は、セグメント４ｂならびに４ｃを点滅させるものである。マイコン４はさらに、ｅ２≧Ｖ１が成立するとき、電池６の交換が必要であるとみなして図７の表示７３に示す態様の点滅表示を表示装置５に行わせる。表示７３は、セグメント４ｃのみを点滅させるものである。
【００３３】
ステップＳ１６Ｃにおいて、マイコン４は、表示装置５に指令を出力し、電池電圧Ｖ１および内部抵抗Ｒｉｎに応じた図４の表示４１〜４３のいずれかの態様の表示を行わせて図６による処理を終了する。マイコン４は、ステップＳ１３で得た電池６の電圧Ｖ１についてＶ１＞ｅ１が成立するとき、電池６は充電されているとみなして図４の表示４１に示す態様の点灯表示を表示装置５に行わせる。また、マイコン４は、ｅ１≧Ｖ１＞ｅ２が成立するとき、電池容量が低下しているとみなして図４の表示４２に示す態様の点灯表示を表示装置５に行わせる。マイコン４はさらに、ｅ２≧Ｖ１が成立するとき、電池６の充電が必要であるとみなして図４の表示４３に示す態様の点灯表示を表示装置５に行わせる。
【００３４】
マイコン４は、表示７２および表示７３のいずれかの態様の点滅表示を行わせると、次の操作を受け付けないように不図示の操作キーを無効にする（ロックする）。これにより、携帯機器で新たな動作を行うことによって電池６の消費電流が増加し、電池６の電圧が低下してマイコン４、すなわち、携帯機器が動作不能になることが防止される。
【００３５】
以上説明した第二の実施の形態によれば、第一の実施の形態による作用効果に加えて、電池６の状態をさらに細かく表示装置５に表示することができる。
【００３６】
上述した第一の実施の形態および第２の実施の形態では、電池６の内部抵抗Ｒｉｎの測定（ステップＳ１１）後に電池６の電圧Ｖ１の測定を行う（ステップＳ１３）ようにした。この代わりに、電圧Ｖ１の測定を先に行い、後から内部抵抗Ｒｉｎの測定を行ってもよい。この場合には、電池６の電圧Ｖ１の変化に応じて表示セグメント４ａ、４ｂならびに４ｃを変更して電池６の残存容量表示を行い、内部抵抗Ｒｉｎの測定後に内部抵抗Ｒｉｎの変化に応じた点灯／点滅などの表示切り替えを行う。
【００３７】
また、以上の説明では電池６の電圧Ｖ１の変化に応じて表示に用いるセグメント４ａ、４ｂならびに４ｃを変更し、電池６の内部抵抗Ｒｉｎの変化に応じて表示セグメントの点灯および点滅を切り替えるようにした。この代わりに、電池６の内部抵抗Ｒｉｎの変化に応じて表示するセグメントの表示色を変えてもよい。セグメントの表示色を変えることで、携帯機器の使用者に電池交換の必要性をよりわかりやすく報知することができる。
【００３８】
さらにまた、電池６の内部抵抗Ｒｉｎの変化に応じて表示セグメントの点灯／点滅、もしくはセグメントの表示色を変える代わりに、電池６の内部抵抗Ｒｉｎの変化に応じた表示を行うための表示セグメントを新たに設けてもよい。この場合には、電池６の電圧Ｖ１の変化に応じた表示に使用するセグメント４ａ、４ｂならびに４ｃの表示と別に、新たに設けたセグメントを電池６の内部抵抗Ｒｉｎの変化に応じて点灯もしくは点滅表示させる。新たに設けるセグメントは、たとえば、電池が劣化した状態を示す「×」もしくは「ＮＧ」でもよいし、マークや文字で電池交換の必要性を示すものでもよい。
【００３９】
電池６の内部抵抗Ｒｉｎの変化に応じて点灯もしくは点滅表示させるセグメントを、電池６の電圧Ｖ１の変化に応じた表示に使用するセグメント４ａ、４ｂならびに４ｃに重ねて表示するように構成してもよい。セグメント４ａ、４ｂならびに４ｃに重ねて表示することにより、携帯機器の使用者に電池交換の必要性をより強く促すことができる。
【００４０】
上述した図２（図６）による処理を実行する電池チェック用プログラムは、携帯機器の製造時にマイコン４内のメモリに記憶させておいてもよいし、携帯機器製造後に当該携帯機器の不図示のインターフェイス回路を介してマイコン４のメモリに記憶させてもよい。たとえば、電池チェック用プログラムをパソコンなどに一旦取り込み、パソコンから上記インターフェイス回路を介して携帯機器に電池チェック用プログラムをダウンロードする。携帯機器のマイコン４は、ダウンロードされた電池チェック用プログラムを電池チェック時に起動する。
【００４１】
特許請求の範囲における各構成要素と、発明の実施の形態における各構成要素との対応について説明する。電圧検出手段は、たとえば、電圧測定回路１およびマイコン４によって構成される。内部抵抗検出手段は、たとえば、電圧測定回路１、スイッチ２、定電流回路３、およびマイコン４によって構成される。第１の表示手段および第２の表示手段は、たとえば、表示装置５によって構成される。表示制御手段および禁止手段は、たとえば、マイコン４によって構成される。表示態様は、たとえば、点灯、点滅、表示に使用するセグメント数などによって示される。なお、本発明の特徴的な機能を損なわない限り、各構成要素は上記構成に限定されるものではない。
【００４２】
【発明の効果】
本発明による携帯機器の電池チェック装置では、携帯機器の使用を中断することなく、電池の状態を正しく検出することができる。
【図面の簡単な説明】
【図１】本発明の第一の実施の形態による携帯機器の電池チェック装置の構成を説明するブロック図である。
【図２】マイコンで行われる電池チェック処理の流れを示すフローチャートである。
【図３】電池電圧と使用時間との関係例を示す図である。
【図４】表示装置による表示を説明する図である。
【図５】電池の内部抵抗と使用時間との関係例を示す図である。
【図６】第二の実施の形態による処理を説明するフローチャートである。
【図７】第二の実施の形態による表示を説明する図である。
【符号の説明】
１…電圧測定回路、　　　　　　　　　　２…スイッチ、
３…定電流回路、　　　　　　　　　　　４…マイコン、
５…表示装置、　　　　　　　　　　　　６…電池、
４１〜４５、７１〜７３…表示
【図１】
2004125658.tif 000003
【図２】
2004125658.tif 000004
【図３】
2004125658.tif 000005
【図４】
2004125658.tif 000006
【図５】
2004125658.tif 000007
【図６】
2004125658.tif 000008
【図７】
2004125658.tif 000009